(57)【要約】【課題】送信処理部と受信処理部とで共通のアンテナが使用される送受信機で、送信処理と受信処理との切替を効率化する。【解決手段】アンテナ１と接続されたサーキュレータ２と、サーキュレータ２と接続されたアイソレータ３と、アイソレータ３と接続されたＳＰＳＴ回路４とを備える。送信処理部６はサーキュレータ２と接続され、受信処理部５はＳＰＳＴ回路４と接続される。そして、送信時にはアイソレータ３から受信処理部５への信号が非通過とさせられる一方で受信時にはアイソレータ３から受信処理部５への信号が通過させられるようにＳＰＳＴ回路４が制御される。【選択図】      図１
2004312345.tif 000002
【特許請求の範囲】
【請求項１】
送信処理部と受信処理部とで共通のアンテナが使用される送受信機において、
アンテナと接続されたサーキュレータと、
サーキュレータと接続されたアイソレータと、
アイソレータと接続されたＳＰＳＴ回路と、を備え、
送信処理部はサーキュレータと接続され、
受信処理部はＳＰＳＴ回路と接続され、
送信時にはアイソレータから受信処理部への信号が非通過とさせられる一方で受信時にはアイソレータから受信処理部への信号が通過させられるようにＳＰＳＴ回路が制御される、
ことを特徴とする送受信機。
【請求項２】
請求項１に記載の送受信機において、
ＳＰＳＴ回路は、一端が入力端とされて他端が出力端とされるマイクロストリップラインと、マイクロストリップラインの入力端と一端が接続された第１のコンデンサと、マイクロストリップラインの出力端と一端が接続された第２のコンデンサと、第１のコンデンサの他端と一端が接続されるとともに他端が接地されて当該一端から当該他端への方向が順方向となる第１のダイオードと、第２のコンデンサの他端と一端が接続されるとともに他端が接地されて当該一端から当該他端への方向が順方向となる第２のダイオードと、第１のコンデンサと第１のダイオードとの間と一端が接続された第１のコイルと、第２のコンデンサと第２のダイオードとの間と一端が接続されるとともに他端が第１のコイルの他端と接続された第２のコイルとから構成され、
ＳＰＳＴ回路は、第１のコイルと第２のコイルとの間に正の電圧が印加される場合に入力端から出力端への信号を非通過とさせる一方で、第１のコイルと第２のコイルとの間に負の電圧が印加される場合に入力端から出力端への信号を通過させる、
ことを特徴とする送受信機。
【発明の詳細な説明】
【０００１】
【発明の属する技術分野】
本発明は、送信処理部と受信処理部とで共通のアンテナが使用される送受信機に関し、特に、送信処理と受信処理との切替を効率化した送受信機に関する。
【０００２】
【従来の技術】
例えば、無線通信装置に設けられる送受信機では、１又は複数の共通なアンテナを送信と受信とで使用することが行われており、送信時と受信時とでアンテナと接続される処理部をスイッチ（アンテナスイッチ）により送信処理部と受信処理部とで切り替えることが行われている。電力増幅が１Ｗ未満であるような小電力用のアンテナスイッチは、汎用品が多く、量産用としても品数が多い。
【０００３】
図５には、ＳＰＤＴ（Ｓｉｎｇｌｅ  Ｐｏｌｅ  Ｄｏｕｂｌｅ  Ｔｈｒｏｗ）回路４２によりＴＤＤ（Ｔｉｍｅ  Ｄｉｖｉｓｉｏｎ  Ｄｕｐｌｅｘ）方式に対応したスイッチングを行う送受切替回路の構成例を示してある。
なお、小電力用の場合には、汎用品であるＳＰＤＴ回路を用いてアンテナスイッチを構成すると、コスト的に安価である。
【０００４】
本例の送受切替回路では、アンテナ４１側と送信用の電力増幅器４４とがＳＰＤＴ回路４２を介して接続されており、アンテナ４１側と受信用の低雑音増幅器４３とがＳＰＤＴ回路４２を介して接続されている。また、ＳＰＤＴ回路４２は制御信号Ａ１１により制御され、電力増幅器４４は制御信号Ａ１２により制御される。
【０００５】
送信機として動作するときには、制御信号Ａ１２により電力増幅器４４がオンとされ、低雑音増幅器４３がオフとされ、制御信号Ａ１１によりＳＰＤＴ回路４２が制御されてアンテナ４１と電力増幅器４４とが接続される。このとき、低雑音増幅器４３は、ＳＰＤＴ回路４２とは接続されずに、アイソレーションを有する方法でアンテナ４１と接続される。
【０００６】
また、受信機として動作するときには、制御信号Ａ１２により電力増幅器４４がオフとされ、低雑音増幅器４３がオンとされ、制御信号Ａ１１によりＳＰＤＴ回路４２が制御されてアンテナ４１と低雑音増幅器４３とが接続される。このとき、電力増幅器４４は、ＳＰＤＴ回路４２とは接続されずに、アイソレーションを有する方法でアンテナ４１と接続される。
【０００７】
次に、従来技術の例を示す。
従来の送受信ミキサ回路では、ＴＤＤ方式に対応して、切替分配器により、第１局部発振器からの出力先を送信ミキサと受信ミキサとで切り替えることが行われている（例えば、特許文献１参照。）。
また、従来の時分割双方向通信用送受信機では、ＴＤＤ方式に対応して、受信時と送信時に第１ローカル発振器及び第２ローカル発振器を制御して、受信中間周波数信号（受信ＩＦ信号）の周波数と送信中間周波数信号（送信ＩＦ信号）の周波数とを異ならせることが行われている（例えば、特許文献２参照。）。
【０００８】
【特許文献１】
特開平７−２９７７５０号公報
【特許文献２】
特開平８−１５４０６７号公報
【０００９】
【発明が解決しようとする課題】
しかしながら、例えば上記図５に示したようなＳＰＤＴ回路による送受切替回路では、効率化の点で、不十分なところがあった。
具体例として、無線通信システムの基地局装置に設けられる用途で使用される場合には、電力増幅器４４の出力側は数Ｗ以上となるため、ＳＰＤＴ回路４２を構成する際に次のような不具合が生じていた。
【００１０】
すなわち、電力増幅器４４の高電力化に伴って、高電力形の素子であるＰＩＮダイオードを用いてＳＰＤＴ回路４２を構成する必要があり、この場合、高コストとなってしまういった不具合や、また、高電力通過時の高調波歪が発生するのを低減するために高い逆バイアス回路（負電源）が必要となってしまうといった不具合があった。また、ＰＩＮダイオードの放熱構造についても、信頼性を考慮することが必要であった。
【００１１】
本発明は、このような従来の事情に鑑み為されたもので、送信処理部と受信処理部とで共通のアンテナが使用されるに際して、送信処理と受信処理との切替を効率化することができる送受信機を提供することを目的とする。
【００１２】
【課題を解決するための手段】
上記目的を達成するため、本発明に係る送受信機では、次のような構成により、送信処理部と受信処理部とで共通のアンテナが使用される。
すなわち、アンテナとサーキュレータとが接続され、サーキュレータとアイソレータとが接続され、アイソレータとＳＰＳＴ（Ｓｉｎｇｌｅ  Ｐｏｌｅ  Ｓｉｎｇｌｅ  Ｔｈｒｏｗ）回路とが接続される。また、送信処理部とサーキュレータとが接続され、受信処理部とＳＰＳＴ回路とが接続される。
そして、ＳＰＳＴ回路が制御されて、送信時にはアイソレータから受信処理部への信号が非通過とさせられる（つまり、通過させられない）一方で、受信時にはアイソレータから受信処理部への信号が通過させられる。
【００１３】
従って、送信時には、送信処理部から出力される信号がサーキュレータを介してアンテナから送信され、このとき、アイソレータから受信処理部への信号はＳＰＳＴ回路により阻止される。また、受信時には、アンテナにより受信される信号がサーキュレータとアイソレータとＳＰＳＴ回路を介して受信処理部へ入力され、つまり、アイソレータから受信処理部への信号が通過させられる。
このように、本発明に係る構成とすることにより、例えばＳＰＤＴ回路を用いる従来と比べて、回路構成を簡易化することができ、コストを低減することができ、これにより、送信処理と受信処理との切替を効率化することができる。
【００１４】
ここで、送受信機としては、種々なものが用いられてもよく、例えば、無線により通信を行う送受信機が用いられる。
また、送信処理部としては、種々なものが用いられてもよく、例えば、電力増幅器や、変調器や、周波数変換器や、フィルタなどの１又は２以上のものが用いられて構成されてもよい。
【００１５】
また、受信処理部としては、種々なものが用いられてもよく、例えば、低雑音増幅器や、復調器や、周波数変換器や、フィルタなどの１又は２以上のものが用いられて構成されてもよい。
また、アンテナとしては、種々なアンテナが用いられてもよい。
また、送信処理部と受信処理部とで共通に使用されるアンテナの数としては、種々な数が用いられてもよく、例えば、１が用いられてもよく、或いは、複数が用いられてもよい。
【００１６】
また、サーキュレータや、アイソレータや、ＳＰＳＴ回路としては、それぞれ、種々なものが用いられてもよい。
また、送信時や、受信時としては、例えば通信方式などに応じて、種々なものが用いられてもよい。一例として、送信スロットを用いて信号を送信して、受信スロットを用いて信号を受信する場合には、送信スロットのタイミングから送信時を決定することが可能であり、受信スロットのタイミングから受信時を決定することが可能である。
【００１７】
また、ＳＰＳＴ回路を制御する制御部としては、例えば、送受信機に備えられてもよく、或いは、他のところに備えられてもよい。
また、ＳＰＳＴ回路を制御する態様としては、例えば、ＳＰＳＴ回路に対して制御信号を供給することにより制御するような態様を用いることができる。
【００１８】
また、アイソレータから受信処理部への信号を非通過とさせる態様としては、必ずしも完全に非通過とさせなくともよく、つまり、通過する信号成分が実用上で有効な程度で多少あってもよく、非通過の程度としては種々な程度が用いられてもよい。
また、アイソレータから受信処理部への信号を通過させる態様としては、必ずしも完全に通過させられなくともよく、つまり、非通過である（つまり、通過しない）信号成分が実用上で有効な程度で多少あってもよく、通過の程度としては種々な程度が用いられてもよい。
【００１９】
また、本発明に係る送受信機では、一構成例として、ＳＰＳＴ回路を次のような構成とした。
すなわち、ＳＰＳＴ回路では、マイクロストリップラインの一端が入力端とされて他端が出力端とされる。マイクロストリップラインの入力端と第１のコンデンサの一端とが接続される。マイクロストリップラインの出力端と第２のコンデンサの一端とが接続される。第１のコンデンサの他端と第１のダイオードの一端とが接続され、第１のダイオードの他端が接地され、第１のダイオードは当該一端から当該他端への方向が順方向となる。第２のコンデンサの他端と第２のダイオードの一端とが接続され、第２のダイオードの他端が接地され、第２のダイオードは当該一端から当該他端への方向が順方向となる。第１のコンデンサと第１のダイオードとの間と第１のコイルの一端とが接続され、第２のコンデンサと第２のダイオードとの間と第２のコイルの一端とが接続され、第１のコイルの他端と第２のコイルの他端とが接続される。
【００２０】
また、ＳＰＳＴ回路では、第１のコイルと第２のコイルとの間に正の電圧が印加される場合に、入力端から出力端への信号を非通過とさせる一方で、第１のコイルと第２のコイルとの間に負の電圧が印加される場合に、入力端から出力端への信号を通過させる。
【００２１】
従って、送信時には、送信処理部から出力される信号がサーキュレータを介してアンテナから送信され、このとき、ＳＰＳＴ回路では、第１のコイルと第２のコイルとの間に正の電圧を有する制御信号が印加されることにより、入力端側のアイソレータから出力端側の受信処理部への信号が阻止される。また、受信時には、ＳＰＳＴ回路では、第１のコイルと第２のコイルとの間に負の電圧を有する制御信号が印加されることにより、入力端側のアイソレータから出力端側の受信処理部への信号が通過させられ、これにより、アンテナにより受信される信号がサーキュレータとアイソレータとＳＰＳＴ回路を介して受信処理部へ入力される。
【００２２】
このような構成を有するＳＰＳＴ回路では、入力端と出力端とを結ぶ線上にはコンデンサやダイオードが備えられないため、入力端から出力端へ伝送する信号に発生するロスを小さくすることができる。また、ダイオードやコイルに生じる寄生容量をコンデンサにより打ち消して、特性の改善を図ることが可能である。
【００２３】
ここで、マイクロストリップラインや、コンデンサ（第１のコンデンサ、第２のコンデンサ）や、ダイオード（第１のダイオード、第２のダイオード）や、コイル（第１のコイル、第２のコイル）としては、それぞれ、種々なものが用いられてもよい。
また、ダイオードの一端から他端への方向が順方向であるときには、当該一端に印加される電圧が当該他端に印加される電圧と比べて高い場合には順方向に電流が流れ、低い場合には電流が流れない。
【００２４】
以下で、更に、本発明に係る構成例を示す。
本発明に係る送受信機では、一構成例として、送信処理部が電力増幅器を用いて構成される。そして、送信時には電力増幅器がオンに制御され、受信時には電力増幅器がオフに制御される。また、このような制御を行う制御部を送受信機或いは他のところに備える。
【００２５】
また、本発明に係る送受信機では、一構成例として、受信処理部が低雑音増幅器を用いて構成される。そして、送信時には低雑音増幅器がオフに制御され、受信時には低雑音増幅器がオンに制御される。また、このような制御を行う制御部を送受信機或いは他のところに備える。
【００２６】
また、本発明に係る送受信機は、一構成例として、ＴＤＤ方式により通信を行う送受信機である。
また、本発明に係る送受信機では、一構成例として、送信時のタイミングに同期してＳＰＳＴ回路を制御する。
【００２７】
また、本発明に係る送受信機は、一構成例として、無線通信システムの無線通信装置に備えられ、例えば、基地局装置に備えられる。
ここで、無線通信システムとしては、種々なものが用いられてもよく、例えば、携帯電話システムや簡易型携帯電話システム（ＰＨＳ：Ｐｅｒｓｏｎａｌ  Ｈａｎｄｙ  ｐｈｏｎｅ  Ｓｙｓｔｅｍ）などの移動通信システムが用いられてもよく、或いは、加入者無線アクセスシステム（ＦＷＡ：Ｆｉｘｅｄ  Ｗｉｒｅｌｅｓｓ  Ａｃｃｅｓｓ）などが用いられてもよい。また、本発明に係る送受信機では、一構成例として、マイクロ波の信号を通信し、また、一構成例として、マルチキャリアの信号を通信する。
【００２８】
【発明の実施の形態】
本発明に係る実施例を図面を参照して説明する。
図１には、本発明の実施例に係る送受信機に設けられた送受切替回路の構成例を示してある。
本例の送受切替回路は、上記図５に示した送受切替回路と同様なスイッチングを行うものであり、ＴＤＤ方式に対応したスイッチングを行う。
【００２９】
本例の送受切替回路では、送信系と受信系がサーキュレータ２を介してアンテナ１と接続されている。
具体的には、送信系を構成する電力増幅器６と、アンテナ１と、受信系を構成するアイソレータ３が、サーキュレータ２を介して接続されている。また、サーキュレータ２は、電力増幅器６から入力される信号をアンテナ１へ出力し、アンテナ１から入力される信号をアイソレータ３へ出力する、配置となっている。
【００３０】
また、受信系では、アイソレータ３にＳＰＳＴ回路４が接続されており、ＳＰＳＴ回路４に低雑音増幅器５が接続されている。また、アイソレータ３は、サーキュレータ２からＳＰＳＴ回路４への信号を通過させるように配置されている。
【００３１】
なお、ＳＰＳＴ回路４は、接地（アース）されており、制御信号Ａ１により制御される。
また、電力増幅器６は、制御信号Ａ２により制御される。
また、それぞれの制御信号Ａ１、Ａ２を出力する制御部としては、例えば、送受信機に備えられてもよく、或いは、他のところに備えられてもよい。
【００３２】
本例の送受切替回路の動作例を示す。
ＴＤＤ方式を採用するシステムでは、送信部による動作と受信部による動作とが交互に繰り返される。
２つの制御信号Ａ１、Ａ２は同期しており、送信時においては、制御信号Ａ２により電力増幅器６がオンに制御されてアンテナ１より送信状態とされ、制御信号Ａ１により受信部はオフに制御される。この時、送信波のアンテナ１からの回り込みにより受信部の劣化や故障が生じることを防止するために、ＳＰＳＴ回路４によりシャント回路が構成され、サーキュレータ２から回り込む送信波は高周波としては対アースに接続され、その反射波は前段のアイソレータ３の終端抵抗により消費されるようになっている。
【００３３】
また、受信時においては、制御信号Ａ２により電力増幅器６がオフに制御され、制御信号Ａ１により受信部がオンに制御される。この時、アンテナ１により受信される信号は、サーキュレータ２を経由して、アイソレータ３及びＳＰＳＴ回路４を通過して、低雑音増幅器５に入力される。
【００３４】
なお、ＳＰＳＴ回路４を制御するための制御信号Ａ１としては、例えば、送信時と受信時とで正負が反転した信号が用いられる。
また、本例では、ＴＤＤ方式の送信時に同期してＳＰＳＴ回路４が制御されており、送信時における送信信号が低雑音増幅器５へ回り込むことを防止している。
【００３５】
以上のように、本例の送受信機に設けられた送受切替回路では、送信増幅部からサーキュレータ２を経由してアンテナ１と接続する送信系と、アンテナ１からサーキュレータ２を通過しアイソレータ３を通過しＳＰＳＴ回路４を経由して低雑音増幅器５と接続する受信系において、送信時には送信信号が低雑音増幅器５へ回り込むことを低減するためにＳＰＳＴ回路４によりシャント回路を構成し、また、受信時にはＳＰＳＴ回路４により受信信号を通過させる状態とする。
【００３６】
このように、本例の送受信機に設けられた送受切替回路では、送信時にはアイソレータ３から低雑音増幅器５への信号が通過しないようにＳＰＳＴ回路４が制御される一方、受信時にはアイソレータ３から低雑音増幅器５への信号が通過するようにＳＰＳＴ回路４が制御される。
【００３７】
従って、本例の送受信機に設けられた送受切替回路では、ＴＤＤ方式が用いられる送信部と受信部の接続方法として、サーキュレータ２を使用して、低雑音増幅器５の入力側にシャント回路を構成するＳＰＳＴ回路４２を備える方法が用いられており、低いコストで実現することが可能である。具体的には、サーキュレータ２を用いて安価なスイッチ回路を実現することができ、例えば、ＳＰＤＴ回路を用いた高電力アンテナスイッチの高いコストに対してコストの低減を図ることができる。
【００３８】
また、例えば、ＳＰＤＴ回路の送信系においては、マルチキャリアによる歪について低歪を実現するためには逆バイアス回路がＰＩＮダイオードに必要となってしまい、本例のようにサーキュレータ２を使用した場合と比較して回路が複雑となってしまうため、本例の方が効率的である。
【００３９】
次に、本例のＳＰＳＴ回路４の具体的な構成例を示す。
本例では、高周波のオン／オフを行なうために、ＰＩＮダイオードの特性を利用したＳＰＳＴスイッチを使用する。
ＰＩＮダイオードは、順方向に電圧をかけると低インピーダンス状態となる一方、逆方向に電圧をかけると高インピーダンス状態となる特性を有している。
【００４０】
図２には、本例のＳＰＳＴ回路４の構成例を示してある。
本例のＳＰＳＴ回路４では、マイクロストリップライン１１の一端が入力端子Ｂ１と接続されて他端が出力端子Ｂ２と接続されている。マイクロストリップライン１１としては、５０オーム（Ω）の抵抗を有して、処理対象となる信号の波長λに対して（λ／４）の長さを有するものが用いられている。
【００４１】
また、マイクロストリップライン１１の入力端子Ｂ１側と直流電圧阻止用コンデンサ（第１のコンデンサ）１２の一端とが接続されており、直流電圧阻止用コンデンサ１２の他端とＰＩＮダイオード（第１のダイオード）１４の一端とが接続されており、ＰＩＮダイオード１４の他端が接地されている。また、ＰＩＮダイオード１４は、直流電圧阻止用コンデンサ１２側の一端から接地側の他端への方向が順方向となるように配置されている。
【００４２】
また、マイクロストリップライン１１の出力端子Ｂ２側と直流電圧阻止用コンデンサ（第２のコンデンサ）１３の一端とが接続されており、直流電圧阻止用コンデンサ１３の他端とＰＩＮダイオード（第２のダイオード）１５の一端とが接続されており、ＰＩＮダイオード１５の他端が接地されている。また、ＰＩＮダイオード１５は、直流電圧阻止用コンデンサ１３側の一端から接地側の他端への方向が順方向となるように配置されている。
【００４３】
また、直流電圧阻止用コンデンサ１２とＰＩＮダイオード１４との間の点とコイル（第１のコイル）１６の一端とが接続されており、直流電圧阻止用コンデンサ１３とＰＩＮダイオード１５との間の点とコイル（第２のコイル）１７の一端とが接続されており、コイル１６の他端とコイル１７の他端とが接続されている。
また、コイル１６とコイル１７との間の点と電源端子Ｂ３とが接続されている。電源端子Ｂ３には、制御信号Ａ１が入力される。
また、本例では、入力端子Ｂ１とアイソレータ３とが接続され、出力端子Ｂ２と低雑音増幅器５とが接続される。
【００４４】
本例のＳＰＳＴ回路４の動作例を示す。
送信時には、ＳＰＳＴ回路４のスイッチをオフの状態に制御する。
具体的には、制御信号Ａ１として正の電圧の信号を電源端子Ｂ３に印加する。すると、２つのＰＩＮダイオード１４、１５には順方向に電圧がかかり、低インピーダンスの状態となる。このため、マイクロストリップライン１１はグラウンド（ＧＮＤ）と接触された状態となり、入力端子Ｂ１から入力される信号は出力端子Ｂ２から出力されない状態となる。
【００４５】
受信時には、ＳＰＳＴ回路４のスイッチをオンの状態に制御する。
具体的には、制御信号Ａ１として負の電圧の信号を電源端子Ｂ３に印加する。すると、２つのＰＩＮダイオード１４、１５には逆方向に電圧がかかり、高インピーダンスの状態となる。このため、マイクロストリップライン１１とグラウンド（ＧＮＤ）との間は高インピーダンスな状態となり、入力端子Ｂ１から入力される信号がほとんどロスを発生することなく出力端子Ｂ２から出力される状態となる。
【００４６】
このように、本例のＳＰＳＴ回路４では、２つのコイル１６、１７の間に正の電圧が印加される場合には入力端子Ｂ１から出力端子Ｂ２への信号が通過しない状態となる一方、２つのコイル１６、１７の間に負の電圧が印加される場合には入力端子Ｂ１から出力端子Ｂ２への信号が通過する状態となる。
【００４７】
以上のように、本例のＳＰＳＴ回路４では、入力端子Ｂ１と出力端子Ｂ２との間に直流電圧阻止用コンデンサやＰＩＮダイオードを挿入する必要がないため、例えば図３や図４に示されるような回路構成と比べて、スイッチがオン状態の時におけるロスを低減することができ、ロスが少ない回路構成を提供することができる。
【００４８】
また、本例のＳＰＳＴ回路４では、直流電圧阻止用コンデンサ１２、１３を用いることでコイル１６、１７やＰＩＮダイオード１４、１５に発生する寄生容量を打ち消し合うことが可能であり、これにより、ＰＩＮダイオード１４、１５などに発生する寄生容量を実質的に少なくして、特性の改善を図ることができる。
【００４９】
次に、本例の送受切替回路に備えられるＳＰＳＴ回路４として使用することが可能な他の構成例を示す。
図３には、ＳＰＳＴ回路４の構成例を示してある。
本例のＳＰＳＴ回路４は、一端が入力端子Ｂ１１と接続される直流電圧阻止用コンデンサ（第１のコンデンサ）２１と、直流電圧阻止用コンデンサ２１の他端と一端が接続されたＰＩＮダイオード（ダイオード）２２と、ＰＩＮダイオード２２の他端と一端が接続されて他端が出力端子Ｂ１２と接続される直流電圧阻止用コンデンサ（第２のコンデンサ）２３と、直流電圧阻止用コンデンサ２１とＰＩＮダイオード２２との間の点と一端が接続されて他端が電源端子Ｂ１３と接続されるコイル２４と、ＰＩＮダイオード２２と直流電圧阻止用コンデンサ２３との間の点と一端が接続されて他端が接地される抵抗２５とから構成されている。
【００５０】
また、ＰＩＮダイオード２２は、入力端子Ｂ１１側の直流電圧阻止用コンデンサ２１から出力端子Ｂ１２側の直流電圧阻止用コンデンサ２３への方向が順方向となるように配置されている。
また、電源端子Ｂ１３には、制御信号Ａ１が入力される。
また、本例では、入力端子Ｂ１１とアイソレータ３とが接続され、出力端子Ｂ１２と低雑音増幅器５とが接続される。
【００５１】
本例のＳＰＳＴ回路４の動作例を示す。
送信時には、ＳＰＳＴ回路４のスイッチをオフの状態に制御する。
具体的には、制御信号Ａ１として負の電圧の信号を電源端子Ｂ１３に印加する。すると、ＰＩＮダイオード２２には逆方向に電圧がかかり、高インピーダンスの状態となる。このため、入力端子Ｂ１１から入力される信号は出力端子Ｂ１２から出力されない状態となる。
【００５２】
受信時には、ＳＰＳＴ回路４のスイッチをオンの状態に制御する。
具体的には、制御信号Ａ１として正の電圧の信号を電源端子Ｂ１３に印加する。すると、ＰＩＮダイオード２２には順方向に電圧がかかり、低インピーダンスの状態となる。このため、入力端子Ｂ１１から入力される信号が出力端子Ｂ１２から出力される状態となる。
【００５３】
なお、本例の回路構成では、入力端子Ｂ１１から出力端子Ｂ１２までの間に部品２１、２２、２３が挿入されていて直流電流（ＤＣ：Ｄｉｒｅｃｔ  Ｃｕｒｒｅｎｔ）が流れることから、スイッチがオンである状態において多少のロスが発生する。
このため、図１に示した本例の送受切替回路のＳＰＳＴ回路４としては、図２に示されるような回路構成を用いる方が好ましい。
【００５４】
次に、本例の送受切替回路に備えられるＳＰＳＴ回路４として使用することが可能な他の構成例を示す。
図４には、ＳＰＳＴ回路４の構成例を示してある。
本例のＳＰＳＴ回路４は、一端が入力端子Ｂ２１と接続される直流電圧阻止用コンデンサ（第１のコンデンサ）３１と、直流電圧阻止用コンデンサ３１の他端と一端が接続されたマイクロストリップライン３２と、マイクロストリップライン３２の他端と一端が接続されて他端が出力端子Ｂ２２と接続される直流電圧阻止用コンデンサ（第２のコンデンサ）３３と、直流電圧阻止用コンデンサ３１とマイクロストリップライン３２との間の点と一端が接続されて他端が接地されたＰＩＮダイオード（第１のダイオード）３４と、マイクロストリップライン３２と直流電圧阻止用コンデンサ３３との間の点と一端が接続されて他端が接地されたＰＩＮダイオード（第２のダイオード）３５と、マイクロストリップライン３２の中点と一端が接続されて他端が電源端子Ｂ２３と接続されるコイル３６とから構成されている。
【００５５】
また、マイクロストリップライン３２としては、５０オーム（Ω）の抵抗を有して、処理対象となる信号の波長λに対して（λ／４）の長さを有するものが用いられている。
また、２つのＰＩＮダイオード３４、３５は、マイクロストリップライン３２や直流電圧阻止用コンデンサ３１、３３側から接地側への方向が順方向となるように配置されている。
また、電源端子Ｂ２３には、制御信号Ａ１が入力される。
また、本例では、入力端子Ｂ２１とアイソレータ３とが接続され、出力端子Ｂ２２と低雑音増幅器５とが接続される。
【００５６】
本例のＳＰＳＴ回路４の動作例を示す。
送信時には、ＳＰＳＴ回路４のスイッチをオフの状態に制御する。
具体的には、制御信号Ａ１として正の電圧の信号を電源端子Ｂ２３に印加する。すると、２つのＰＩＮダイオード３４、３５には順方向に電圧がかかり、低インピーダンスの状態となる。このため、マイクロストリップライン３２はグラウンド（ＧＮＤ）と接触された状態となり、入力端子Ｂ２１から入力される信号は出力端子Ｂ２２から出力されない状態となる。
【００５７】
受信時には、ＳＰＳＴ回路４のスイッチをオンの状態に制御する。
具体的には、制御信号Ａ１として負の電圧の信号を電源端子Ｂ２３に印加する。すると、２つのＰＩＮダイオード３４、３５には逆方向に電圧がかかり、高インピーダンスの状態となる。このため、マイクロストリップライン３２とグラウンド（ＧＮＤ）との間は高インピーダンスな状態となり、入力端子Ｂ２１から入力される信号が出力端子Ｂ２２から出力される状態となる。
【００５８】
なお、本例の回路構成では、入力端子Ｂ２１から出力端子Ｂ２２までの間に部品３１、３３が挿入されていて直流電流（ＤＣ）が流れることから、スイッチがオンである状態において多少のロスが発生する。
このため、図１に示した本例の送受切替回路のＳＰＳＴ回路４としては、図２に示されるような回路構成を用いる方が好ましい。
【００５９】
ここで、本発明に係る送受信機や送受切替回路やＳＰＳＴ回路などの構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能である。
また、本発明の適用分野としては、必ずしも以上に示したものに限られず、本発明は、種々な分野に適用することが可能なものである。
【００６０】
また、本発明に係る送受信機などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００６１】
【発明の効果】
以上説明したように、本発明に係る送受信機では、送信処理部と受信処理部とで共通のアンテナが使用される場合に、アンテナとサーキュレータとが接続され、サーキュレータとアイソレータとが接続され、アイソレータとＳＰＳＴ回路とが接続され、送信処理部とサーキュレータとが接続され、受信処理部とＳＰＳＴ回路とが接続され、そして、ＳＰＳＴ回路が制御されて送信時にはアイソレータから受信処理部への信号が非通過とさせられる一方で受信時にはアイソレータから受信処理部への信号が通過させられるようにしたため、例えばＳＰＤＴ回路を用いる従来と比べて、回路構成を簡易化することができ、コストを低減することができ、これにより、送信処理と受信処理との切替を効率化することができる。
【００６２】
また、本発明に係る送受信機では、好ましい一構成例として、ＳＰＳＴ回路では、マイクロストリップラインの一端が入力端とされて他端が出力端とされ、マイクロストリップラインの入力端と第１のコンデンサの一端とが接続され、マイクロストリップラインの出力端と第２のコンデンサの一端とが接続され、第１のコンデンサの他端と第１のダイオードの一端とが接続され、第１のダイオードの他端が接地され、第１のダイオードは当該一端から当該他端への方向が順方向となり、第２のコンデンサの他端と第２のダイオードの一端とが接続され、第２のダイオードの他端が接地され、第２のダイオードは当該一端から当該他端への方向が順方向となり、第１のコンデンサと第１のダイオードとの間と第１のコイルの一端とが接続され、第２のコンデンサと第２のダイオードとの間と第２のコイルの一端とが接続され、第１のコイルの他端と第２のコイルの他端とが接続され、そして、第１のコイルと第２のコイルとの間に正の電圧が印加される場合に入力端から出力端への信号を非通過とさせる一方で第１のコイルと第２のコイルとの間に負の電圧が印加される場合に入力端から出力端への信号を通過させる構成としたため、入力端から出力端へ伝送する信号に発生するロスを小さくすることができ、また、ダイオードやコイルに生じる寄生容量をコンデンサにより打ち消して、特性の改善を図ることが可能である。
【図面の簡単な説明】
【図１】本発明の実施例に係るＳＰＳＴ回路を用いた送受切替回路の構成例を示す図である。
【図２】ＳＰＳＴ回路の一例を示す図である。
【図３】ＳＰＳＴ回路の一例を示す図である。
【図４】ＳＰＳＴ回路の一例を示す図である。
【図５】ＳＰＤＴ回路を用いた送受切替回路の構成例を示す図である。
【符号の説明】
１・・アンテナ、  ２・・サーキュレータ、  ３・・アイソレータ、
４・・ＳＰＳＴ回路、  ５・・低雑音増幅器、  ６・・電力増幅器、
Ａ１、Ａ２・・制御信号、  １１、３２・・マイクロストリップライン、
１２、１３、２１、２３、３１、３３・・コンデンサ、
１４、１５、２２、３４、３５・・ダイオード、
１６、１７、２４、３６・・コイル、  Ｂ１、Ｂ１１、Ｂ２１・・入力端子、
Ｂ２、Ｂ１２、Ｂ２２・・出力端子、  Ｂ３、Ｂ１３、Ｂ２３・・電源端子、
２５・・抵抗、
【図１】
2004312345.tif 000003
【図２】
2004312345.tif 000004
【図３】
2004312345.tif 000005
【図４】
2004312345.tif 000006
【図５】
2004312345.tif 000007